(57)【要約】【課題】製造途中の製品である半製品を載せたパレットおよび半製品を積載したパレットを保管する置き場を，パレットに積載した半製品の子ロット番号を用いて管理するシステムを提供する。【解決手段】半製品管理システム１では，子ロット番号を記憶した第１の識別媒体５が半製品５ａに付加され，パレット番号を記憶した第２の識別媒体６がパレット６ａに付加され，置き場番号を記憶した第３の識別媒体７が置き場７ａに付加される。端末装置２は，パレット６ａに積載する半製品５ａに係る積載開始番号および積載終了番号，並びに，パレット６ａに係るパレット番号を含む積載情報を一元管理装置３へ送信する処理と，パレット番号と置き場番号を含む保管情報を一元管理装置３へ送信する処理を実行し，一元管理装置３は，これらの情報をＤＢに記憶する。【選択図】図１
2015134675.tif 000002
【特許請求の範囲】
【請求項１】
親ロットを分割した子ロット毎に製造される半製品に付加され，前記半製品の製造順序が示される子ロット番号を記憶している第１の識別媒体と，前記半製品を積載するパレットに付加され，前記パレットを識別するパレット番号を記憶している第２の識別媒体と，前記パレットを保管する置き場に付加され，前記置き場を識別する置き場番号を記憶している第３の識別媒体と，前記第１の識別媒体，前記第２の識別媒体および前記第３の識別媒体に記憶された情報を読み取るリーダ装置が接続された端末装置と，前記端末装置とネットワーク接続している一元管理装置とから少なくとも構成され，
前記端末装置は，前記パレットに積載する前記半製品の中から，製造順序が最も早い前記半製品に付加された前記第１の識別媒体から前記リーダ装置が読み出した前記子ロット番号である積載開始番号と，製造順序が最も遅い前記半製品に付加された前記第１の識別媒体から前記リーダ装置が読み出した子ロット番号である積載終了番号と，更に，前記半製品を積載する前記パレットに付加された前記第２の識別媒体から前記リーダ装置が読み出した前記パレット番号を取得すると，これらの情報を含む積載情報を前記一元管理装置へ送信する処理と，前記置き場に保管する前記パレットから前記リーダ装置が読み出した前記パレット番号と，前記パレットを保管する前記置き場に付加された前記第３の識別媒体から前記リーダ装置が読み出した前記置き場番号を取得すると，これらの情報を含む保管情報を前記一元管理装置へ送信する処理を実行する端末制御手段を備え，
前記一元管理装置は，前記端末装置から受信した前記積載情報を記憶する積載情報ＤＢと，前記端末装置から受信した前記保管情報を記憶する保管情報ＤＢと，前記端末装置から前記積載情報を受信すると，この前記積載情報を前記積載情報ＤＢに記憶し，更に，前記端末装置から前記保管情報を受信すると，この前記保管情報を前記保管情報ＤＢに記憶する処理を実行する一元管理手段を備え，
たことを特徴とする半製品管理システム。
【請求項２】
前記端末装置の前記端末制御手段は，出庫する前記パレットから前記リーダ装置が読み出した前記パレット番号を取得すると，この前記パレット番号を含む出庫情報を前記一元管理装置へ送信する処理を実行し，前記一元管理装置の前記一元管理手段は，前記出庫情報を前記端末装置から受信すると，前記出庫情報に含まれる前記パレット番号を含む前記積載情報を前記積載情報ＤＢから削除し，更に，前記出庫情報に含まれる前記パレット番号を含む前記保管情報を前記保管情報ＤＢから削除する処理を実行することを特徴とする，  請求項１に記載した半製品管理システム。
【請求項３】
前記端末装置の前記端末制御手段は，前記置き場を確認する前記半製品の前記子ロット番号が入力されると，この前記子ロット番号を含む確認情報を前記一元管理装置へ送信した後，前記一元管理装置から受信した前記積載情報および前記保管情報をディスプレイに表示する処理を実行し，前記一元管理装置の前記一元管理手段は，前記確認情報を前記端末装置から受信すると，前記確認情報に含まれる前記子ロット番号が前記積載開始番号と前記積載終了番号の閉区間に含まれる前記積載情報を前記積載情報ＤＢから検索し，更に，検索した前記積載情報に含まれる前記パレット番号を含む前記保管情報を前記保管情報ＤＢから検索し，検索した前記積載情報および前記保管情報を前記端末装置へ送信する処理を実行することを特徴とする，請求項１または請求項２に記載した半製品管理システム。
【発明の詳細な説明】
【技術分野】
【０００１】
本発明は、製造途中の製品である半製品、半製品を載せたパレットおよび半製品を載せたパレットを保管する置き場を関連付けて管理する技術に関する。
【背景技術】
【０００２】
製造工場では，製造した製品をパレットに載せて保管するため，パレットに載せる製品と製品を載せたパレットを管理することが必要になる。パレットを管理する発明としては，例えば，商品を載せるパレットに付加した識別媒体（例えば，ＩＤタグ）に格納場所（例えば，棚）のＩＤと商品のＩＤを書き込み、格納場所のＩＤとを関連付けたデータベースをホストコンピュータで管理し、同じ商品はできるだけ同じ格納場所もしくはその近傍の格納場所に格納することによって、格納スペースの利用効率を改善する発明が特許文献１で開示されている。
【先行技術文献】
【特許文献】
【０００３】
【特許文献１】特開２０００−１０３５０５号公報
【発明の概要】
【発明が解決しようとする課題】
【０００４】
しかしながら，製造工場でパレットに載せて保管する物は製品ばかりではない。一つの製品は複数の過程を経て完成するため，製造工場では，製造途中の製品である半製品についてもパレットに載せて保管する。
【０００５】
製品の状態では，同じ製品であれば製品毎を区別しないため，特許文献１のように，パレットに積載している製品を示す情報（例えば，商品のＩＤ）とパレットの置き場を管理すればよい。これに対し，半製品は，親ロットを分割した子ロット毎に製造され，子ロットでロット管理されるため，半製品を載せたパレットを管理する際，パレットに載せた半製品を子ロット番号で管理することが必要になる。
【０００６】
そこで，本発明は，製造途中の製品である半製品を載せたパレットおよび半製品を積載したパレットを保管する置き場を，パレットに積載した半製品の子ロット番号を用いて管理するシステムを提供することを目的とする。
【課題を解決するための手段】
【０００７】
上述した課題を解決する第１の発明は，親ロットを分割した子ロット毎に製造される半製品に付加され，前記半製品の製造順序が示される子ロット番号を記憶している第１の識別媒体と，前記半製品を積載するパレットに付加され，前記パレットを識別するパレット番号を記憶している第２の識別媒体と，前記パレットを保管する置き場に付加され，前記置き場を識別する置き場番号を記憶している第３の識別媒体と，前記第１の識別媒体，前記第２の識別媒体および前記第３の識別媒体に記憶された情報を読み取るリーダ装置が接続された端末装置と，前記端末装置とネットワーク接続している一元管理装置とから少なくとも構成される半製品管理システムである。
【０００８】
前記端末装置は，前記パレットに積載する前記半製品の中から，製造順序が最も早い前記半製品に付加された前記第１の識別媒体から前記リーダ装置が読み出した前記子ロット番号である積載開始番号と，製造順序が最も遅い前記半製品に付加された前記第１の識別媒体から前記リーダ装置が読み出した子ロット番号である積載終了番号と，更に，前記半製品を積載する前記パレットに付加された前記第２の識別媒体から前記リーダ装置が読み出した前記パレット番号を取得すると，これらの情報を含む積載情報を前記一元管理装置へ送信する処理と，前記置き場に保管する前記パレットから前記リーダ装置が読み出した前記パレット番号と，前記パレットを保管する前記置き場に付加された前記第３の識別媒体から前記リーダ装置が読み出した前記置き場番号を取得すると，これらの情報を含む保管情報を前記一元管理装置へ送信する処理を実行する端末制御手段を備える。
【０００９】
また，前記一元管理装置は，前記端末装置から受信した前記積載情報を記憶する積載情報ＤＢと，前記端末装置から受信した前記保管情報を記憶する保管情報ＤＢと，前記端末装置から前記積載情報を受信すると，この前記積載情報を前記積載情報ＤＢに記憶し，更に，前記端末装置から前記保管情報を受信すると，この前記保管情報を前記保管情報ＤＢに記憶する処理を実行する一元管理手段を備える。
【００１０】
第１の発明によれば，前記積載情報には，前記パレットに積載する前記半製品の中から，製造順序が最も早い前記半製品に付加された前記第１の識別媒体から前記リーダ装置が読み出した前記子ロット番号である前記積載開始番号と，製造順序が最も遅い前記半製品に付加された前記第１の識別媒体から前記リーダ装置が読み出した子ロット番号である前記積載終了番号，更に，前記半製品を積載する前記パレットに付加された前記第２の識別媒体から前記リーダ装置が読み出した前記パレット番号が含まれることになる。前記半製品が子ロットでロット管理されることを考慮すると，前記パレットに積載されている前記半製品の子ロット番号は，前記積載開始番号と前記積載終了番号の閉区間に含まれる子ロット番号になるため，前記一元管理装置側で，前記半製品と前記半製品を載せた前記パレットを管理できる。また，前記積載情報と前記保管情報は前記パレット番号を含むため，前記パレット番号を用いて前記積載情報と前記保管情報を紐付けするようにすれば，前記半製品を積載した前記パレットとその前記置き場を前記一元管理装置側で管理できる。
【００１１】
更に，第２の発明は，第１の発明に記載した半製品管理システムにおいて，前記端末装置の前記端末制御手段は，出庫する前記パレットから前記リーダ装置が読み出した前記パレット番号を取得すると，この前記パレット番号を含む出庫情報を前記一元管理装置へ送信する処理を実行し，前記一元管理装置の前記一元管理手段は，前記出庫情報を前記端末装置から受信すると，前記出庫情報に含まれる前記パレット番号を含む前記積載情報を前記積載情報ＤＢから削除し，更に，前記出庫情報に含まれる前記パレット番号を含む前記保管情報を前記保管情報ＤＢから削除する処理を実行することを特徴とする。第２の発明によれば，出庫した前記パレットに係る前記積載情報および前記保管情報を前記一元管理装置から削除できるようになる。
【００１２】
更に，第３の発明は，第１の発明または第２の発明に記載した半製品管理システムにおいて，前記端末装置の前記端末制御手段は，前記置き場を確認する前記半製品の前記子ロット番号が入力されると，この前記子ロット番号を含む確認情報を前記一元管理装置へ送信した後，前記一元管理装置から受信した前記積載情報および前記保管情報をディスプレイに表示する処理を実行し，前記一元管理装置の前記一元管理手段は，前記確認情報を前記端末装置から受信すると，前記確認情報に含まれる前記子ロット番号が前記積載開始番号と前記積載終了番号の閉区間に含まれる前記積載情報を前記積載情報ＤＢから検索し，更に，検索した前記積載情報に含まれる前記パレット番号を含む前記保管情報を前記保管情報ＤＢから検索し，検索した前記積載情報および前記保管情報を前記端末装置へ送信する処理を実行することを特徴とする。第３の発明によれば，指定した前記半製品が保管されている前記置き場を前記端末装置側で確認できるようになる。
【発明の効果】
【００１３】
このように，上述した本発明によれば，製造途中の製品である半製品を載せたパレットおよび半製品を積載したパレットを保管する置き場を，パレットに積載した半製品の子ロット番号を用いて管理するシステムを提供できる。
【図面の簡単な説明】
【００１４】
【図１】本実施形態に係る半製品管理システムを説明する図。
【図２】半製品，パレットおよび置き場を説明する図。
【図３】端末装置と一元管理装置を説明する図。
【図４】一元管理装置が備えるＤＢを説明する図。
【図５】半製品をパレットに積載する時の動作を説明する図。
【図６】半製品を置き場に保管する時の動作を説明する図。
【図７】半製品を出庫する時の動作を説明する図。
【図８】半製品を保管している置き場を確認する時の動作を説明する図。
【発明を実施するための形態】
【００１５】
ここから，本発明の好適な実施形態を記載する。なお，以下の記載は本発明の範囲を束縛するものでなく，理解を助けるために記述するものである。
【００１６】
図１は，本実施形態に係る半製品管理システム１を説明する図である。本実施形態に係る半製品管理システム１は，親ロットを分割した子ロット毎に製造される半製品５ａと，一つまたは複数の半製品５ａを載せるパレット６ａと，パレット６ａを保管する置き場７ａを管理できるように開発されたシステムである。
【００１７】
図１に図示したように，本実施形態に係る半製品管理システム１で管理される半製品５ａには，製造順序が示される子ロット番号を記憶している第１の識別媒体５が付加され，本実施形態に係る半製品管理システム１で管理されるパレット６ａには，パレット６ａを識別するパレット番号を記憶している第２の識別媒体６が付加され，更に，本実施形態に係る半製品管理システム１で管理される置き場７ａには，置き場７ａを識別する置き場番号を記憶した第３の識別媒体７が付加される。また，本実施形態に係る半製品管理システム１は，第１の識別媒体５，第２の識別媒体６および第３の識別媒体７から情報を読み取るリーダ装置２１が接続された端末装置２と，端末装置２とネットワーク４を介して接続している一元管理装置３を含む。
【００１８】
図２は，半製品５ａ，パレット６ａおよび置き場７ａを説明する図である。図２（ａ）は，本実施形態に係る半製品５ａを説明する図である。図２（ａ）に図示しているように，本実施形態における半製品５ａは段ボール箱の形態をなし，半製品５ａの側面には，製造順序が示される子ロット番号を記憶している第１の識別媒体５が付加されている。子ロット番号の付け方は様々あるが，ここでは，親ロットのロット番号（ここでは，「Ｓ」）に，製造順を示すシーケンス番号（例えば，「１」）を付加した番号としている。
【００１９】
図２（ｂ）は，本実施形態に係るパレット６ａを説明する図である。図２（ｂ）に図示しているように，本実施形態において，半製品５ａを載せるパレット６ａの側面には，パレット６ａそれぞれを個体識別するための情報となるパレット番号を記憶した第２の識別媒体６が貼られている。
【００２０】
図２（ｃ）は，本実施形態に係る置き場７ａを説明する図である。図１に図示しているように，製造工場の一部の領域が，半製品５ａを保管する置き場７ａとして複数に分割され，それぞれの置き場７ａの床面には，置き場７ａそれぞれを個体識別するための情報である置き場番号を記憶した第３の識別媒体７が貼られている。
【００２１】
第１の識別媒体５，第２の識別媒体６および第３の識別媒体７の形態は，製造工場に合わせて任意に決定できる。例えば，これらの識別媒体は，特許文献１で開示されているようにＲＦＩＤ（Radio Frequency IDentification）タグとしてもよいが，製造順序が示される子ロット番号を第１の識別媒体５に記憶させることを考えると，シール印刷によって製造できる１次元または２次元のバーコードとすることが好適である。
【００２２】
図３は，端末装置２と一元管理装置３を説明する図で，図４は，一元管理装置３が備えるＤＢ（Data Base）を説明する図である。
【００２３】
端末装置２は，タブレットコンピュータやノート型のパーソナルコンピュータなどのディスプレイ付きのモバイルコンピュータで実現される装置である。図３に図示したように，端末装置２には，第１の識別媒体５，第２の識別媒体６および第３の識別媒体７から情報を読み取るリーダ装置２１が接続されている。また，端末装置２は，ソフトウェアにより実現される手段として，パレット６ａに積載する半製品５ａの中から，製造順序が最も早い半製品５ａに付加された第１の識別媒体５からリーダ装置２１が読み出した子ロット番号である積載開始番号と，製造順序が最も遅い半製品５ａに付加された第１の識別媒体５からリーダ装置２１が読み出した子ロット番号である積載終了番号と，更に，半製品５ａを積載するパレット６ａに付加された第２の識別媒体６からリーダ装置２１が読み出したパレット番号を取得すると，これらの情報を含む積載情報を一元管理装置３へ送信する処理と，置き場７ａに保管するパレット６ａからリーダ装置２１が読み出したパレット番号と，パレット６ａを保管する置き場７ａに付加された第３の識別媒体７からリーダ装置２１が読み出した置き場番号を取得すると，これらの情報を含む保管情報を一元管理装置３へ送信する処理を少なくとも実行する端末制御手段２０を備える。なお，汎用的なモバイルコンピュータが備えている機能であるため，図３では図示しないが，端末装置２は，製造工場に設置された無線アクセスポイント４ａと無線ネットワーク通信するための機能（例えば，Ｗｉｆｉ）を備えている。
【００２４】
端末装置２と接続しているリーダ装置２１の具体的な形態は，半製品５ａ等に付加される識別媒体の具体的な形態に依存する。例えば，半製品５ａ等に付加される識別媒体がＲＦＩＤタグならば，端末装置２と接続しているリーダ装置２１は，ＲＦＩＤタグから情報を電気的に読み取るＲＦＩＤタグリーダになる。また，半製品５ａ等に付加される識別媒体がバーコードならば，端末装置２と接続しているリーダ装置２１は，バーコードから情報を光学的に読み取るバーコードリーダになる。
【００２５】
本実施形態において，一つのパレット６ａに積載する半製品５ａ全ての子ロット番号を積載情報に含ませず，製造順序が最も早い半製品５ａに付加された第１の識別媒体５が記憶している子ロット番号である積載開始番号と，製造順序が最も遅い半製品５ａに付加された第１の識別媒体５に記憶している子ロット番号である積載終了番号を積載情報に含ませるようにしているのは，子ロット番号を読み取る作業負荷を減らすためである。半製品５ａに付加する第１の識別媒体５をバーコードとする場合，一つのパレット６ａに積載する半製品５ａ全ての子ロット番号を積載情報に含ませるためには，パレット６ａに積載した半製品５ａ毎に，半製品５ａに付加された識別媒体から子ロット番号を読み取る作業が必要になってしまう。これに対し，積載開始番号と積載終了番号のみを積載情報に含ませるようにすれば，子ロット番号を第１の識別媒体５から読み取る作業は２回で済む。
【００２６】
なお，端末装置２の端末制御手段２０が実行する処理は上述した処理に限定されず，本実施形態における端末制御手段２０は，上述した処理に加え，出庫するパレット６ａからリーダ装置２１が読み出したパレット番号を取得すると，このパレット番号を含む出庫情報を一元管理装置３へ送信する処理と，置き場７ａを確認する半製品５ａの子ロット番号が入力されると，この子ロット番号を含む確認情報を一元管理装置３へ送信した後，一元管理装置３から受信した積載情報および保管情報をディスプレイに表示する処理を実行する。
【００２７】
一元管理装置３は，汎用のサーバを利用して実現される装置である。図４に図示したように，一元管理装置３は，大容量のデータ記憶装置を利用して実現されるＤＢ（Data Base）として，端末装置２から受信した積載情報を記憶する積載情報ＤＢ３１と，端末装置２から受信した保管情報を記憶する保管情報ＤＢ３２を備える。
【００２８】
図４（ａ）は積載情報ＤＢ３１を説明する図で，図４（ａ）に図示したように，積載情報ＤＢ３１には，パレット６ａに付加された第２の識別媒体６が記憶しているパレット番号毎にレコードが設けられる。このレコードには，パレット番号に紐付して，使用または未使用を示す使用フラグと，パレット６ａに積載した半製品５ａの中から，製造順序が最も早い半製品５ａに付加された第１の識別媒体５が記憶している子ロット番号である積載開始番号と，製造順序が最も遅い半製品５ａに付加された第１の識別媒体５が記憶している子ロット番号である積載終了番号が記憶される。
【００２９】
図４（ｂ）は保管情報ＤＢ３２を説明する図で，図４（ｂ）に図示したように，保管情報ＤＢ３２には，置き場番号毎にレコードが設けられる。このレコードには，置き場番号に紐付して，使用または未使用を示す使用フラグと，置き場７ａに保管したパレット６ａのパレット番号が記憶される。
【００３０】
また，一元管理装置３は，図３に図示したように，ソフトウェアで実現される手段として，端末装置２から積載情報を受信すると，この積載情報を積載情報ＤＢ３１に記憶し，更に，端末装置２から保管情報を受信すると，この保管情報を保管情報ＤＢ３２に記憶する処理を少なくとも実行する一元管理手段３０を備える。なお，汎用的なサーバが備えている機能であるため，図３では図示しないが，一元管理装置３は，製造工場に設置された無線アクセスポイント４ａと有線ネットワーク通信するための機能を備えている。
【００３１】
なお，一元管理装置３の一元管理手段３０が実行する処理は上述した処理に限定されず，本実施形態における一元管理手段３０は，上述した処理に加え，出庫情報を端末装置２から受信すると，出庫情報に含まれるパレット番号を含む積載情報を積載情報ＤＢ３１から削除し，更に，出庫情報に含まれるパレット番号を含む保管情報を保管情報ＤＢ３２から削除する処理を行い，確認情報を端末装置２から受信すると，確認情報に含まれる子ロット番号が積載開始番号と積載終了番号の閉区間に含まれる積載情報を積載情報ＤＢ３１から検索し，更に，検索した積載情報に含まれるパレット番号を含む保管情報を保管情報ＤＢ３２から検索し，検索した積載情報および保管情報を端末装置２へする処理を実行する。
【００３２】
ここから，半製品管理システム１の動作を説明しながら，端末装置２および一元管理装置３の動作について詳細に説明する。
【００３３】
図５は，半製品５ａをパレット６ａに積載する時の動作を説明する図である。端末装置２のオペレータが，半製品５ａを積載する時のメニューを選択する操作を実施すると，端末装置２の端末制御手段２０は，積載開始番号となる子ロット番号を読み取るメッセージをディスプレイに表示した後，オペレータが，パレット６ａに積載する半製品５ａに表示されている子ロット番号を参考にして，製造順序が最も早い半製品５ａに付加された第１の識別媒体５からリーダ装置２１を用いてデータを読み出す操作を行い，リーダ装置２１が第１の識別媒体５からデータを読み出すと，端末装置２の端末制御手段２０は，リーダ装置２１が第１の識別媒体５から読み取ったデータを積載開始番号として取得する（Ｓ１）。
【００３４】
次に，端末装置２の端末制御手段２０は，積載終了番号となる子ロット番号を読み取るメッセージをディスプレイに表示し，オペレータが，パレット６ａに積載する半製品５ａに表示されている子ロット番号を参考にして，製造順序が最も遅い半製品５ａに付加された第１の識別媒体５からリーダ装置２１を用いてデータを読み出す操作を行うと，リーダ装置２１は第１の識別媒体５からデータを読み出し，端末装置２の端末制御手段２０は，リーダ装置２１が第１の識別媒体５から読み取ったデータを積載終了番号として取得する（Ｓ２）。
【００３５】
次に，端末装置２の端末制御手段２０は，半製品５ａを積載するパレット６ａのパレット番号を読み取るメッセージをディスプレイに表示し，オペレータが，半製品５ａを積載するパレット６ａに付加された第２の識別媒体６からリーダ装置２１を用いてデータを読み出す操作を行うと，リーダ装置２１は第２の識別媒体６からデータを読み出し，端末装置２の端末制御手段２０は，リーダ装置２１が第２の識別媒体６から読み取ったデータを，半製品５ａを積載するパレット６ａのパレット番号として取得する（Ｓ３）。
【００３６】
次に，端末装置２の端末制御手段２０は，半製品５ａを積載するパレット６ａのパレット番号，積載開始番号および積載終了番号を含む積載情報を一元管理装置３へ送信する（Ｓ４）。
【００３７】
一元管理装置３の一元管理手段３０は，積載情報を端末装置２から受信すると（Ｓ５），積載情報ＤＢ３１の中から，端末装置２から受信した積載情報に含まれるパレット番号に対応するレコードを検索する（Ｓ６）。
【００３８】
次に，一元管理装置３の一元管理手段３０は，検索したレコードの使用フラグを使用に変更した後（Ｓ７），端末装置２から受信した積載情報に含まれる積載開始番号および積載終了番号をこのレコードに書き込んで（Ｓ８），この手順は終了する。
【００３９】
図６は，半製品５ａを置き場７ａに保管する時の動作を説明する図である。端末装置２のオペレータが，パレット６ａを保管する時のメニューを選択する操作を実施すると，端末装置２の端末制御手段２０は，置き場７ａに保管するパレット６ａのパレット番号を読み取るメッセージをディスプレイに表示し，オペレータが，置き場７ａに保管するパレット６ａに付加された第２の識別媒体６からリーダ装置２１を用いてデータを読み出す操作を行うと，リーダ装置２１は第２の識別媒体６からデータを読み出し，端末装置２の保管情報送信手段は，リーダ装置２１が第２の識別媒体６から読み取ったデータを，置き場７ａに保管するパレット６ａのパレット番号として取得する（Ｓ１０）。
【００４０】
次に，端末装置２の端末制御手段２０は，パレット６ａを保管する置き場７ａの置き場番号を読み取るメッセージをディスプレイに表示した後，オペレータが，パレット６ａを保管する置き場７ａに付加された第３の識別媒体７からリーダ装置２１を用いてデータを読み出す操作を行い，リーダ装置２１が第３の識別媒体７からデータを読み出すと，端末装置２の端末制御手段２０は，リーダ装置２１が識別媒体から読み取ったデータを置き場番号として取得する（Ｓ１１）。
【００４１】
次に，端末装置２の端末制御手段２０は，パレット６ａを保管する置き場７ａの置き場番号，置き場７ａに保管するパレット６ａのパレット番号を含む保管情報を一元管理装置３へ送信する（Ｓ１２）。
【００４２】
一元管理装置３の一元管理手段３０は，保管情報を端末装置２から受信すると（Ｓ１３），保管情報ＤＢ３２の中から，端末装置２から受信した保管情報に含まれる置き場番号に対応するレコードを検索する（Ｓ１４）。
【００４３】
次に，一元管理装置３の一元管理手段３０は，検索したレコードの使用フラグを使用に変更した後（Ｓ１５），端末装置２から受信した保管情報に含まれるパレット番号をこのレコードに書き込んで（Ｓ１６），この手順は終了する。
【００４４】
図７は，半製品５ａを出庫する時の動作を説明する図である。端末装置２のオペレータが，半製品５ａを出庫する時のメニューを選択する操作を実施すると，端末装置２の端末制御手段２０は，出庫するパレット６ａのパレット番号を読み取るメッセージをディスプレイに表示した後，オペレータが，出庫するパレット６ａに付加された第２の識別媒体６からリーダ装置２１を用いてデータを読み出す操作を行い，リーダ装置２１が第２の識別媒体６からデータを読み出すと，端末装置２の端末制御手段２０は，リーダ装置２１が第２の識別媒体６から読み取ったデータをパレット番号として取得する（Ｓ２０）。
【００４５】
次に，端末装置２の端末制御手段２０は，出庫するパレット６ａから読み出したパレット番号を含む出庫情報を一元管理装置３へ送信する（Ｓ２１）。
【００４６】
一元管理装置３の一元管理手段３０は，出庫情報を端末装置２から受信すると（Ｓ２２），積載情報ＤＢ３１および保管情報ＤＢ３２の中から，端末装置２から受信した出庫情報に含まれるパレット番号に対応するレコードをそれぞれ検索し（Ｓ２３），検索したレコードを初期状態に戻して（Ｓ２４），この手順は終了する。
【００４７】
図８は，半製品５ａを保管している置き場７ａを確認する時の動作を説明する図である。端末装置２のオペレータが，半製品５ａを保管している置き場７ａを確認するメニューを選択する操作を実施すると，端末装置２の端末制御手段２０は，置き場７ａを確認する半製品５ａの子ロット番号を入力させるメッセージをディスプレイに表示した後，オペレータが，保管している置き場７ａを確認する半製品５ａの子ロット番号を入力すると（Ｓ４０），端末装置２の端末制御手段２０は，端末装置２にオペレータが入力した子ロット番号を含む確認情報を一元管理装置３へ送信する（Ｓ４１）。
【００４８】
一元管理装置３の一元管理手段３０は，確認情報を端末装置２から受信すると（Ｓ４２），端末装置２から受信した確認情報に含まれる子ロット番号が積載開始番号と積載終了番号の閉区間に含まれるレコードを積載情報ＤＢ３１から検索し，このレコードの内容を端末装置２へ送信する積載情報として取得する（Ｓ４３）。更に，積載情報ＤＢ３１から検索したレコードに含まれるパレット番号に対応するレコードを保管情報ＤＢ３２から検索し，このレコードの内容を端末装置２へ送信する保管情報として取得する（Ｓ４４）。
【００４９】
次に，一元管理装置３の一元管理手段３０は，積載情報ＤＢ３１から取得した積載情報と，保管情報ＤＢ３２から取得した保管情報を端末装置２へ送信する（Ｓ４５）。
【００５０】
端末装置２の端末制御手段２０は，確認情報を一元管理装置３へ送信した後，積載情報と保管情報を一元管理装置３から受信すると（Ｓ４６），これらの情報をディスプレイに表示して（Ｓ４７），この手順は終了する。
【符号の説明】
【００５１】
１    半製品管理システム
２    端末装置
２０  端末制御手段
２１  リーダ装置
３    一元管理装置
３０  一元管理手段
３１  積載情報ＤＢ
３２  保管情報ＤＢ
５    第１の識別媒体
５ａ  半製品
６    第２の識別媒体
６ａ  パレット
７    第３の識別媒体
７ａ  置き場
【図１】
2015134675.tif 000003
【図２】
2015134675.tif 000004
【図３】
2015134675.tif 000005
【図４】
2015134675.tif 000006
【図５】
2015134675.tif 000007
【図６】
2015134675.tif 000008
【図７】
2015134675.tif 000009
【図８】
2015134675.tif 000010